(57)【特許請求の範囲】
【請求項１】
カメラレンズ鏡筒の光軸４上に配置され入射光側５の先端部に装着されるレンズフード本体７は比較的柔らかいシリコーンゴムにて構成され、該レンズフード本体７はアタッチメント装着用の雌ネジ部１２に螺着されるかレンズ鏡筒外周部に設けられたバヨネット係合部に装着され、該レンズフード本体７はカメラレンズ鏡筒２の入射光側５先端を覆う複数枚のアール形状フードリング８ａ、８ｂ、８ｃ・・・が夫々の屈折部１０ａ、１０ｂ、１０ｃ・・・を介して互いに連設された円筒形のレンズフード本体７から形成され、該レンズフード本体７は前記複数枚のアール形状フードリング８ａ、８ｂ、８ｃ・・・の屈折部１０ａ、１０ｂ、１０ｃ・・・を介してカメラレンズ鏡筒の光軸４方向に任意に折り返して折りたたむことが可能で不使用時には光軸４の方向で全長を縮小することができ、該レンズフード本体７を構成する複数枚のアール形状フードリング８ａ、８ｂ、８ｃ・・・はその断面形状ｔを略均一厚からなるアール形状となし、該アール形状フードリング８ａ、８ｂ、８ｃ・・・を夫々連設する際に生じる屈折部１０ａ、１０ｂ、１０ｃ・・・を利用して連設されたフードリング本体７をカメラレンズ鏡筒の光軸４の方向で任意に折り返して折りたたむように形成されていることを特徴とするレンズフード。
【請求項２】
前記レンズフード本体７はカメラレンズ鏡筒２の入射光側５の先端を覆う複数枚のアール形状フードリング８ａ、８ｂ、８ｃ・・・が夫々の屈折部１０ａ、１０ｂ、１０ｃ・・・を介して互いに連設された円筒形のレンズフード本体７から形成され、該レンズフード本体７は前記複数枚のアール形状フードリング８ａ、８ｂ、８ｃ・・・の屈折部１０ａ、１０ｂ、１０ｃ・・・を介してカメラレンズ鏡筒の光軸４の方向で任意に折り返して折りたたむことが可能で不使用時には光軸４の方向で全長を縮小することができ、該レンズフード本体７を構成する複数枚のアール形状フードリング８ａ、８ｂ、８ｃ・・・はその断面形状ｔを略均一厚からなるアール形状となし、該アール形状フードリング８ａ、８ｂ、８ｃ・・・を夫々連設する際に生じる屈折部１０ａ、１０ｂ、１０ｃ・・・をアール形状フードリング８ａ、８ｂ、８ｃ・・・より柔らかいシリコーンゴムにて構成して各アール形状フードリングの接続部９ａ、９ｂ、９ｃ・・・部材となし、該連設されたフードリング本体７を前記接続部９ａ、９ｂ、９ｃ・・・部材においてカメラレンズ鏡筒の光軸４の方向で任意に折り返して折りたたむように形成されていることを特徴とする請求項１に記載されたレンズフード。
【請求項３】
前記レンズフード本体７はカメラレンズ鏡筒２の入射光側５の先端を覆う複数枚のアール形状フードリング８ａ、８ｂ、８ｃ・・・が夫々の屈折部１０ａ、１０ｂ、１０ｃ・・・を介して互いに連設された円筒形のレンズフード本体７から形成され、該レンズフード本体７は前記複数枚のアール形状フードリング８ａ、８ｂ、８ｃ・・・の屈折部１０ａ、１０ｂ、１０ｃ・・・を介してカメラレンズ鏡筒の光軸４の方向で任意に折り返して折りたたむことが可能で不使用時には光軸４の方向で全長を縮小することができ、該レンズフード本体７を構成する複数枚のアール形状フードリング８ａ、８ｂ、８ｃ・・・はその断面形状ｔを略均一厚からなるアール形状となし、該アール形状フードリング８ａ、８ｂ、８ｃ・・・を夫々連設する際に生じる屈折部１０ａ、１０ｂ、１０ｃ・・・に成型段階で折り目１４ａ、１４ｂ、１４ｃ・・・を付ける加工を施し、該屈折部１０ａ、１０ｂ、１０ｃ・・・の折り目１４ａ、１４ｂ、１４ｃ・・・加工部を利用して連設されたフードリング本体７をカメラレンズ鏡筒の光軸４の方向で任意に折り返してたたむ用に形成されていることを特徴とする請求項１に記載されたレンズフード。
【請求項４】
前記レンズフードを構成するレンズフード本体７は比較的柔らかい緩衝用高分子弾性体からなるシリコーンゴムにて構成され黒色並びに赤、青、黄、緑等の色彩を有することを特徴とする請求項１及び請求項３に記載されたレンズフード。
【発明の詳細な説明】
【技術分野】
【０００１】
本発明は、折りたたみ式レンズフードに関するものであり、特に本発明は、熱可塑性樹脂からなるシリコーンゴム用いて製作される折りたたみ式レンズフードに関するものである。
【０００２】
また、本発明の折りたたみ式レンズフードは、可撓性を有するシリコーンゴムを用いて製作され、光軸方向に任意に折り返して折りたたむことが可能であり、レンズフードとしての不使用時にはレンズフードの全長を縮小することができるほか、レンズフードの折りたたみ用屈折部分が均一厚を有しており当該部分が切れて破損しない耐久性の良いレンズフードや機能美を有する美しいレンズフードを提供するものである。
【背景技術】
【０００３】
本発明のカメラレンズ鏡筒の光軸上において入射光側先端部に設けられるレンズフードは、比較的柔らかいシリコーンゴムを用いて製作され、該レンズフードはアタッチメント装着用の雌ネジ部に螺着されるかレンズ鏡筒外周部に設けられたバヨネット係合部に装着され、該レンズフードはカメラレンズ鏡筒の入射光側先端を覆う複数枚のアール形状フードリングが夫々の屈折部を介して互いに連設された円筒形のフード本体から形成され、該レンズフード本体は、前記複数枚のアール形状フードリングの屈折部を介して光軸方向に任意に折り返して少なくとも３から４回程折りたたむことが可能であり、不使用時には光軸方向に全長を縮小することができ、該レンズフードを構成する複数枚のアール形状フードリングはその断面形状を略均一厚からなるアール形状となし、該アール形状フードリングを夫々連設する際に生じる屈折部を利用して連設されたフードリング本体を光軸方向に任意に折り返して折りたたむように形成するもので、当該折りたたみ動作により折りたたみ部分が切れて破損しない耐久性の良いレンズフードを提供するものである。
【０００４】
斯して、折りたたみ式レンズフードの代表的な従来例として、実開昭５７−４０９２７号公報（以下、特許文献１と称する）がある。特許文献１には、全体を合成ゴム、プラスチックなどの可撓性材料でつくり、不使用時にフードの容積、長さを縮小して携帯、収納に便利なものにするものであり、アダプターに係合する基部に円錐部を介して円筒形の主体部を連設し、基部と円錐部との屈折位置、円錐部と主体部との屈折位置及び主体部の略中央にそれぞれ薄肉環状のヒンジを形成し、主体部、円錐部を折返すようにして、全体の形態を縮小できるようにすると共に、各ヒンジの折返しを選択することにより焦点距離および画角に応じて少なくとも３段階に折返して使用することができるレンズフードが記載されている。
【０００５】
また、特許文献１は、基部にアダプターへの係合部を有しているため、カメラまたは交換レンズ等の鏡筒への装着が極めて容易であり、基部、円錐部、円筒形の主体部を射出成型等によって一体に成形するので、安価に提供できるなどの点で、工業上すぐれた効果を有するものである、としている。
【０００６】
然しながら、特許文献１におけるレンズフードの折りたたみ部分は、合成ゴム、プラスチックなどの可撓性材料でつくるフード本体部分をそれぞれ薄肉環状のヒンジ形状に接続して形成していることから、当該ヒンジ形状部分が切れて破損してしまう欠点や、薄肉環状のヒンジ部が柔らかいために製品全体がよれて撓んでしまいスッキリとした機能美を有する製品には仕上がらない欠点を有している。
【先行技術文献】
【特許文献】
【０００７】
【特許文献１】実開昭５７−４０９２７号公報
【発明の概要】
【発明が解決しようとする課題】
【０００８】
而して、本発明は、熱可塑性樹脂からなるシリコーンゴム用いて製作される折りたたみ式レンズフードにおいて、レンズフードを光軸方向に任意に折り返して少なくとも３から４回程折りたたむことが可能でレンズフードとしての不使用時にはレンズフードの全長を縮小して携帯したり収納できるタイプのレンズフードであり、本発明は、この種の折りたたみ式レンズフードにおいて、レンズフードの折りたたみ用屈折部分が切れて破損しない耐久性の良いレンズフードを提供するものである。
【課題を解決するための手段】
【０００９】
本発明において、カメラレンズ鏡筒の光軸上に配置され入射光側先端部に装着されるレンズフードは、比較的柔らかいシリコーンゴムを用いて製作され、該レンズフードはアタッチメント装着用の雌ネジ部に螺着されるかレンズ鏡筒外周部に設けられたバヨネット係合部に装着され、該レンズフードはカメラレンズ鏡筒の入射光側先端を覆う複数枚のアール形状フードリングが夫々の屈折部を介して互いに連設された円筒形のフード本体から形成され、該フード本体は前記複数枚のアール形状フードリングの屈折部を介して光軸方向に任意に折り返して折りたたむことが可能で、且つレンズフードの不使用時には光軸方向に全長を縮小することができ、該レンズフードを構成する複数枚のアール形状フードリングはその断面形状を略均一厚からなるアール形状となし、該アール形状フードリングを夫々連設する際に生じる屈折部を利用して連設されたフードリング本体を光軸方向に任意に折り返して折りたたむように形成されている。
【００１０】
また、本発明において、前記レンズフードは、カメラレンズ鏡筒の入射光側先端を覆う複数枚のアール形状フードリングが夫々の屈折部を介して互いに連設された円筒形のフード本体から形成され、該フード本体は前記複数枚のアール形状フードリングの屈折部を介して光軸方向に任意に折り返して折りたたむことが可能で不使用時には光軸方向に全長を縮小することができ、該レンズフードを構成する複数枚のアール形状フードリングはその断面形状を略均一厚からなるアール形状となし、該アール形状フードリングを夫々連設する際に生じる屈折部をアール形状フードリングより柔らかいシリコーンゴムにて製作して各アール形状フードリングの接続部材となし、該連設されたフードリング本体を前記接続部材部分において光軸方向に任意に折り返して折りたたむように形成されている。
【００１１】
更に、本発明において、前記レンズフードは、カメラレンズ鏡筒の入射光側先端を覆う複数枚のアール形状フードリングが夫々の屈折部を介して互いに連設された円筒形のフード本体から形成され、該フード本体は前記複数枚のアール形状フードリングの屈折部を介して光軸方向に任意に折り返して折りたたむことが可能で不使用時には光軸方向に全長を縮小することができ、該レンズフードを構成する複数枚のアール形状フードリングはその断面形状を略均一厚からなるアール形状となし、該アール形状フードリングを夫々連設する際に生じる屈折部に成型段階で折り目を付ける加工を施し、該屈折部の折り目加工部を利用して連設されたフードリング本体を光軸方向に任意に折り返してたたむ用に形成されているものである。
【００１２】
そして、本発明おいて、前記レンズフードを構成するレンズフード本体は比較的柔らかい高分子弾性体からなるシリコーンゴムを用いて製作され黒色、並びに赤、青、黄、緑等の色彩を有するレンズフードを提供するものである。
【発明の効果】
【００１３】
斯して、本発明において、レンズフードを構成する複数枚のアール形状フードリングは、その断面形状を略均一厚からなるアール形状となし、該アール形状フードリングを夫々連設する際に生じる屈折部を利用して連設されたフードリング本体を光軸方向に任意に折り返して折りたたむように形成されているレンズフードを提供するものであることから、従来の可撓性樹脂性からなるレンズフードの如くレンズフードの折りたたみ部分をそれぞれ薄肉環状のヒンジ形状に構成としたものに比較して強度と耐久性を増強したレンズフードを提供可能にした。
【００１４】
また、本発明において、レンズフードを構成するレンズフード本体は、比較的柔らかい緩衝用高分子弾性体からなるシリコーンゴムを用いて製作され黒色、並びに赤、青、黄、緑等の色彩を有する緩衝機能付きレンズフードを提供するもので、最近のカメラ本体やフィルター等のカラー化にも充分対応できるレンズフードを提供するものであり、また、その断面形状を略均一厚さにて成型する本発明のレンズフードは、レンズフード自体がよれて撓んでしまうこともなくデザイン的にも優れた機能美を有する製品として仕上げることが可能となった。
【図面の簡単な説明】
【００１５】
【図１】（Ａ）本発明の外観説明図。           （Ｂ）実施例１を説明する要部拡大説明図。           （Ｃ）実施例２を説明する要部拡大説明図。
【図２】（Ａ）実施例３を説明する要部断面図。           （Ｂ）図２（Ａ）の折りたたみ状態を示す断面図。
【発明を実施するための形態】
【００１６】
本発明は、折りたたみ式レンズフードに関するものであり、特に本発明は、熱可塑性樹脂からなるシリコーンゴム用いて製作される折りたたみ式レンズフードに関するものである。
【００１７】
また、本発明の折りたたみ式レンズフードは、可撓性を有するシリコーンゴムを用いて製作され、光軸方向に任意に折り返して折りたたむことが可能であり、レンズフードとしての不使用時にはレンズフードの全長を縮小することができるほか、レンズフードの折りたたみ用屈折部分が均一厚を有しており当該部分が切れて破損しない耐久性の良いレンズフードを提供するものである。
【００１８】
本発明において、熱可塑性樹脂とは、ガラス転移温度、または融点まで加熱することによって柔らかくなり、目的の形に成形加工できる樹脂で、一般的に熱可塑性樹脂は、切削、研削等の機械加工がしにくい事が多く、加熱し軟化したところで金型に押し込み、冷やして固化させる射出成型加工などが広く用いられており、熱可塑性樹脂を用途により分類すると、熱可塑性エラストマーと呼ばれるシリコーンゴムやフッ素ゴム、汎用プラスチックスやエンジニアリング・プラスチック、並びにスーパーエンジニアリングプラスチックなどがあり、本発明においては、レンズフード本体をカラーリングしてカメラ本体やフィルター等のカラー化にも充分対応できるシリコーンゴムの成型加工により製作されたレンズフードを提供している。
【００１９】
斯くして、本発明において、カメラレンズ鏡筒の光軸上に配置され入射光側先端部に装着されるレンズフードは、比較的柔らかいシリコーンゴムを用いて製作され、該レンズフードはアタッチメント装着用の雌ネジ部に螺着されるかレンズ鏡筒外周部に設けられたバヨネット係合部に装着され、該レンズフードはカメラレンズ鏡筒の入射光側先端を覆う複数枚のアール形状フードリングが夫々の屈折部を介して互いに連設された円筒形のフード本体から形成され、該フード本体は前記複数枚のアール形状フードリングの屈折部を介して光軸方向に任意に折り返して折りたたむことが可能で、且つ不使用時には光軸方向に全長を縮小することができ、該レンズフードを構成する複数枚のアール形状フードリングはその断面形状を略均一厚からなるアール形状となし、該アール形状フードリングを夫々連設する際に生じる屈折部を利用して連設されたフードリング本体を光軸方向に任意に折り返して折りたたむように形成されていることが好ましい。
【００２０】
また、本発明において、前記レンズフードは、カメラレンズ鏡筒の入射光側先端を覆う複数枚のアール形状フードリングが夫々の屈折部を介して互いに連設された円筒形のフード本体から形成され、該フード本体は前記複数枚のアール形状フードリングの屈折部を介して光軸方向に任意に折り返して折りたたむことが可能で不使用時には光軸方向に全長を縮小することができ、該レンズフードを構成する複数枚のアール形状フードリングはその断面形状を略均一厚からなるアール形状となし、該アール形状フードリングを夫々連設する際に生じる屈折部をアール形状フードリングより柔らかいシリコーンゴムにて製作して各アール形状フードリングの接続部材となし、該連設されたフードリング本体を前記接続部材部分において光軸方向に任意に折り返して折りたたむように形成されていることが好ましい。
【００２１】
更に、本発明において、前記レンズフードは、カメラレンズ鏡筒の入射光側先端を覆う複数枚のアール形状フードリングが夫々の屈折部を介して互いに連設された円筒形のフード本体から形成され、該フード本体は前記複数枚のアール形状フードリングの屈折部を介して光軸方向に任意に折り返して折りたたむことが可能で不使用時には光軸方向に全長を縮小することができ、該レンズフードを構成する複数枚のアール形状フードリングはその断面形状を略均一厚からなるアール形状となし、該アール形状フードリングを夫々連設する際に生じる屈折部に成型段階で折り目を付ける加工を施し、該屈折部の折り目加工部を利用して連設されたフードリング本体を光軸方向に任意に折り返してたたむ用に形成されていることが好ましい。
【００２２】
そして、本発明は、前記レンズフードを構成するレンズフード本体は比較的柔らかい緩衝用高分子弾性体からなるシリコーンゴムを用いて製作され、黒色、並びに赤、青、黄、緑等の色彩を有するレンズフードであることが好ましい。
【実施例１】
【００２３】
図１（Ａ）は本発明の外観説明図、図１（Ｂ）は本発明の実施例１を説明するレンズフード要部拡大説明図、図１（Ｃ）は本発明の実施例２を説明するレンズフード要部拡大説明図、図２（Ａ）（Ｂ）は本発明の実施例３を説明する要部拡大断面図である。
【００２４】
図１乃至図３において、１はカメラ本体、２はズームレンズや望遠レンズ等からなるカメラレンズ鏡筒、３はレンズフード、４はカメラレンズ鏡筒の光軸を示している。尚、図１（Ａ）において、５は入射光側、６はカメラ本体側、ｔはレンズフード断面形状厚を示している。
【００２５】
而して、カメラレンズ鏡筒２の先端部には、レンズフード３がネジ込み式やバヨネット構造にて装着されており、該レンズフード３は熱可塑性樹脂からなる可撓性を有するシリコーンゴムを用いて製作され、図２（Ｂ）や図３（Ｂ）に示す如く光軸４の方向で任意に折り返して折りたたむことが可能で全長を縮小することができ、レンズフード３としての不使用時にはカメラレンズ鏡筒２の先端部に装着したまま、或いは、カメラレンズ鏡筒から取り外して携帯したり収納することができる。
【００２６】
また、図１（Ａ）のレンズフード３の構成を図１（Ｂ）において拡大して説明すると、レンズフード３のカバー構成部をレンズフード本体７とし、レンズフード本体７は、複数枚の略均一厚を有するアール形状フードリング８ａ、８ｂ、８ｃ、８ｄからなり、該アール形状フードリング８ａ、８ｂ、８ｃ、８ｄの各接続部９ａ、９ｂ、９ｃ・・・部分には各アール形状フードリングが８ａと８ｂ、８ｂと８ｃ、８ｃと８ｅのようにそのアール形状フードリングの接続角度を少し鋭角に接続設定する構成部を設け、該接続部９ａ、９ｂ、９ｃ・・・部分を折り曲げ部位の形成された屈折部１０ａ、１０ｂ、１０ｃ・・・とする。そして、接続部９ａ、９ｂ、９ｃ・・・部分に形成された屈折部１０ａ、１０ｂ、１０ｃ・・・を介してレンズフード本体７は任意に折り返して折りたたむことが可能であり、レンズフード本体７の不使用時には光軸Ｃの方向にレンズフード全長を縮小することができ（図２（Ｂ）に示す）、また、レンズフード本体７をカメラレンズ鏡筒２に装着したままでカメラの持ち運びが可能である他、レンズフード３をカメラレンズ鏡筒２から取り外して携帯したり収納することができる。
【００２７】
そして、実施例１に使用される熱可塑性樹脂とは、ガラス転移温度、または融点まで加熱することによって柔らかくなり、目的の形に成形加工できる樹脂で、一般的に熱可塑性樹脂は、切削、研削等の機械加工がしにくい事が多く、加熱し軟化したところで金型に押し込み、冷やして固化させる射出成型加工などが広く用いられており、熱可塑性樹脂を用途により分類すると、熱可塑性エラストマーと呼ばれるシリコーンゴムやフッ素ゴム、汎用プラスチックスやエンジニアリング・プラスチック、並びにスーパーエンジニアリングプラスチックなどがあり、本発明においては、レンズフード本体７をカラーリングしてカメラ本体１やフィルター等のカラー化にも充分対応できるシリコーンゴムの成型加工によりレンズフード３を提供している。
【００２８】
斯くして、実施例１において、カメラレンズ鏡筒２の光軸４上に配置され入射光側５の先端部に装着されるレンズフード３は、比較的柔らかいシリコーンゴムを用いて製作され、該レンズフード３はアタッチメント装着用の雌ネジ部に螺着されるかレンズ鏡筒外周部に設けられたバヨネット係合部に装着され、該レンズフード３はカメラレンズ鏡筒２の入射光側５の先端を覆う複数枚のアール形状フードリング８ａ、８ｂ、８ｃ、８ｄが夫々の屈折部１０ａ、１０ｂ、１０ｃ・・・を介して互いに連設された円筒形のフード本体７から形成され、該フード本体７は前記複数枚のアール形状フードリング８ａ、８ｂ、８ｃの屈折部１０ａ、１０ｂ、１０ｃ・・・を介して光軸４方向に任意に折り返して折りたたむことが可能で、不使用時には光軸４方向に全長を縮小することができ、該レンズフード３を構成する複数枚のアール形状フードリング８ａ、８ｂ、８ｃ、８ｄは、その断面形状厚ｔを略均一厚からなるアール形状となし、該アール形状フードリング８ａ、８ｂ、８ｃ、８ｄを夫々連設する際に生じる屈折部１０ａ、１０ｂ、１０ｃ・・・を利用して連設されたフードリング本体７を光軸４方向に任意に折り返して折りたたむように形成されている。
【００２９】
そして、前記レンズフード３を構成するレンズフード本体７は比較的柔らかい高分子弾性体からなるシリコーンゴムを用いて製作され黒色、並びに赤、青、黄、緑等の色彩を有することを特徴としたレンズフード３を提供している。
【実施例２】
【００３０】
また、図１（Ｃ）は、実施例２を説明するものであり、レンズフード３のカバー構成部をレンズフード本体７とし、レンズフード本体７は、複数枚の略均一厚を有するアール形状フードリング８ａ、８ｂ、８ｃ、８ｄからなり、該アール形状フードリング８ａ、８ｂ、８ｃ、８ｄの各接続部９ａ、９ｂ、９ｃ・・・部分の形状は前記アール形状フードリング８ａ、８ｂ、８ｃ、８ｄよりも少し柔らかい可撓性を有するシリコーンゴムを用いて成型加工することにより、該接続部９ａ、９ｂ、９ｃ・・・部分を折り曲げ部位とする。そして、前記接続部９ａ、９ｂ、９ｃ・・・部分に形成された屈折部１０ａ、１０ｂ、１０ｃ・・・を介してレンズフード本体７は任意に折り返して折りたたむことが可能であり、レンズフード本体７の不使用時には光軸Ｃの方向にレンズフード全長を縮小することができ（図２（Ｂ）に示す）、また、レンズフード本体７をカメラレンズ鏡筒２に装着したままでカメラの持ち運びが可能である他、レンズフード３をカメラレンズ鏡筒２から取り外して携帯したり収納することができる。
【００３１】
斯くして、実施例２において、カメラレンズ鏡筒２の光軸４上に配置され入射光側５の先端部に装着されるレンズフード３は、比較的柔らかいシリコーンゴムを用いて製作され、該レンズフード３はアタッチメント装着用の雌ネジ部に螺着されるかレンズ鏡筒外周部に設けられたバヨネット係合部に装着され、該レンズフード３はカメラレンズ鏡筒２の入射光側５の先端を覆う複数枚のアール形状フードリング８ａ、８ｂ、８ｃ、８ｄが夫々の屈折部１０ａ、１０ｂ、１０ｃ・・・を介して互いに連設された円筒形のフード本体７から形成され、該フード本体７は前記複数枚のアール形状フードリング８ａ、８ｂ、８ｃ、８ｄの屈折部１０ａ、１０ｂ、１０ｃ・・・を介して光軸４方向に任意に折り返して折りたたむことが可能で、不使用時には光軸４方向に全長を縮小することができ、該レンズフード３を構成する複数枚のアール形状フードリング８ａ、８ｂ、８ｃ、８ｄはその断面形状ｔを略均一厚からなるアール形状となし、該アール形状フードリング８ａ、８ｂ、８ｃ、８ｄを夫々連設する際に生じる屈折部１０ａ、１０ｂ、１０ｃ・・・をアール形状フードリング８ａ、８ｂ、８ｃ、８ｄより柔らかいシリコーンゴムにて製作して各アール形状フードリング８ａ、８ｂ、８ｃ、８ｄの接続部９ａ、９ｂ、９ｃ・・・となし、該連設されたフードリング本体７を前記接続部９ａ、９ｂ、９ｃ・・・の部材部分において光軸４方向に任意に折り返して折りたたむように形成されている。
【００３２】
そして、前記レンズフード３を構成するレンズフード本体７は比較的柔らかい緩衝用高分子弾性体からなるシリコーンゴムを用いて製作され黒色、並びに赤、青、黄、緑等の色彩を有することを特徴としたレンズフード３を提供している。
【実施例３】
【００３３】
斯して、図２（Ａ）、（Ｂ）は本発明の実施例３を説明するものであり、図２（Ａ）は実施例３を説明する要部断面図、図２（Ｂ）は実施例３においてレンズフードの折りたたみ状態を示す断面図である。
【００３４】
図２（Ａ）、（Ｂ）において、２はカメラレンズ鏡筒、３はレンズフード、７はレンズフード本体、１１はレンズ鏡筒先端部であり、該レンズ鏡筒先端部１１の内径部にはアタッチメント装着用の雌ネジ部１２が螺設されている。そして、実施例３のレンズフード本体７には、前記レンズ鏡筒先端部１１の雌ネジ部１２に螺着される雄ネジ部１３が螺設されており、該レンズフード本体７は、カメラレンズ鏡筒２の入射光側５の先端部に着脱自在に装着されている。尚、図２（Ａ）のレンズフード本体７において、４はカメラレンズ鏡筒の光軸、５は入射光側を示し、６はカメラ本体側を示している。
【００３５】
また、カメラレンズ鏡筒２の光軸４上において入射光側５のレンズ鏡筒先端部１１に設けられるレンズフード本体７はアタッチメント装着用の雌ネジ部１２に螺着され、該レンズフード本体７はカメラレンズ鏡筒２の入射光側５のレンズ鏡筒先端部１１を覆う複数枚のアール形状フードリング８ａ、８ｂ、８ｃ、８ｄ、８ｅが夫々の屈折部１０ａ、１０ｂ、１０ｃ、１０ｄを介して互いに連設された円筒形のフード本体７から形成されている。
【００３６】
そして、フード本体７は、前記複数枚のアール形状フードリング８ａ、８ｂ、８ｃ、８ｄ、８ｅの屈折部１０ａ、１０ｂ、１０ｃ、１０ｄを介して図２（Ｂ）に示す如く光軸４の方向に任意に折り返して折りたたむことが可能であり、レンズフード本体７の不使用時には光軸４方向にレンズフードの全長を縮小することができ、レンズフード本体７をカメラレンズ鏡筒２に装着したまま或いは取り外して携帯、収納可能である。
【００３７】
斯して、実施例３において、前記レンズフード３はカメラレンズ鏡筒２の入射光側５先端を覆う複数枚のアール形状フードリング８ａ、８ｂ、８ｃ、８ｄ、８ｅが夫々の屈折部８ａ、８ｂ、８ｃ、８ｄｄ、８ｅを介して互いに連設された円筒形のフード本体７から形成され、該フード本体７は前記複数枚のアール形状フードリング８ａ、８ｂ、８ｃ、８ｄ、８ｅの屈折部１０ａ、１０ｂ、１０ｃ、１０ｄを介して光軸４の方向に任意に折り返して折りたたむことが可能で不使用時には光軸方向に全長を縮小することができ、該レンズフード３を構成する複数枚のアール形状フードリング８ａ、８ｂ、８ｃ、８ｄ、８ｅはその断面形状ｔを略均一厚からなるアール形状となし、該アール形状フードリング８ａ、８ｂ、８ｃ、８ｄ、８ｅを夫々連設する際に生じる屈折部１０ａ、１０ｂ、１０ｃ、１０ｄに成型段階で折り目部１４ａ、１４ｂ、１４ｃ・・・（図２（Ｂ）に示す）を付ける加工を施し、該屈折部１０ａ、１０ｂ、１０ｃ、１０ｄの折り目部１４ａ、１４ｂ、１４ｃ・・・の加工部を用いて連設されたフードリング本体７を光軸４方向に任意に折り返してたたむように形成されているものである。
【００３８】
また、実施例３のレンズフード本体７は、図２（Ｂ）の如く折り目１４ａ、１４ｂ、１４ｃ・・・を施して折りたたみ形状にて製品化された後、フード本体７を図２（Ａ）に示す如く引き延ばしてレンズフード本体７とすることが可能であり、該図２（Ａ）の如くレンズフード本体７を引き延ばす場合には、前記アール形状フードリング８ａ、８ｂ、８ｃ、８ｄ、８ｅのアール形状部を夫々反転させることでフードレンズ本体７は、図２（Ａ）に示す形状が維持されるように形成されていることも可能である。
【００３９】
また、本発明において、前記レンズフードを構成するレンズフード本体７は、比較的柔らかい高分子弾性体からなるシリコーンゴムを用いて製作され黒色、並びに赤、青、黄、緑等の色彩を有するレンズフードを提供するもので、カメラ本体やフィルター等のカラー化にも充分対応できるレンズフードを提供することが可能になった。
【００４０】
而して、本発明におけるレンズフードを構成する複数枚のアール形状フードリングは、その断面形状を略均一厚からなるアール形状となし、該アール形状フードリングを夫々連設する際に生じる屈折部を利用して連設されたフードリング本体を光軸方向に任意に折り返して折りたたむように形成されているレンズフードを提供するものであることから、従来の可撓性樹脂性からなるレンズフードの如くレンズフードの折りたたみ部分をそれぞれ薄肉環状のヒンジ形状に構成としたものに比較して強度と耐久性を増強したレンズフードを提供可能にした。
【００４１】
また、本発明において、レンズフードを構成するレンズフード本体は、比較的柔らかい高分子弾性体からなるシリコーンゴムを用いて製作され黒色、並びに赤、青、黄、緑等の色彩を有するレンズフードを提供するもので、最近のカメラ本体やフィルター等のカラー化にも充分対応できるレンズフードを提供するものであり、また、その断面形状を略均一厚さにて成型する本発明のレンズフードは、レンズフード自体がよれて撓んでしまうこともなくデザイン的にも優れた機能美を有する製品として仕上げることが可能となった。
【符号の説明】
【００４２】
１  カメラ本体
２  カメラレンズ鏡筒
３  レンズフード
４  カメラレンズ鏡筒の光軸
５  入射光側
６  カメラ本体側
７  レンズフード本体
８ａ、８ｂ、８ｃ・・・  アール形状フードリング
９ａ、９ｂ、９ｃ・・・  接続部
１０ａ、１０ｂ、１０ｃ・・・  屈折部
１１  レンズ鏡筒先端部
１２  雌ネジ部
１３  雄ネジ部
１４  折り目１４ａ、１４ｂ、１４ｃ・・・  折り目
ｔ  断面形状（アール形状フードリングの厚さ）
【要約】
【課題】光軸方向に任意に折り返して折りたたむことが可能であり、レンズフードとしての不使用時には全長を縮小することができる耐久性の良いレンズフードを提供する。
【解決手段】レンズフードはカメラレンズ鏡筒の入射光側先端を覆う複数枚のアール形状フードリングが夫々の屈折部を介して互いに連設された円筒形のフード本体から形成され、該フード本体は前記複数枚のアール形状フードリングの屈折部を介して光軸方向に任意に折り返して折りたたむことが可能で、該レンズフードを構成する複数枚のアール形状フードリングはその断面形状を略均一厚からなるアール形状となし、該アール形状フードリングを夫々連設する際に生じる屈折部、接続部、並び折り目部を利用して連設されたフードリング本体を光軸方向に任意に折り返して折りたたむように形成した。
【選択図】図２【図１】
0005577418.tif 000002
【図２】
0005577418.tif 000003